(57)【要約】【課題】  支持体より前方に位置する棚部材の上部領域を収納スペースとして最大限有効利用できるようにすること。【解決手段】  左右一対の支柱１１，１１にブラケット１２を介して棚板１３が支持され、この棚板１３の後部上方位置に後部浮上防止装置１４が設けられている。後部浮上防止装置１４は、支柱１１，１１毎に独立して装着可能にそれぞれ設けられた一対のストッパ部材３０，３０からなる。各ストッパ部材３０，３０は、支柱１１に取り付けられる取付部３１と、当該取付部３１に設けられるとともに、棚板１３の後部上方に位置する押さえ部３２とを備えている。押さえ部３２は、支柱１１の前面１１Ａより後方に位置する棚板１３の上部領域を押さえ込み可能に設けられている。【選択図】      図３
2006095125.tif 000002
【特許請求の範囲】
【請求項１】
ブラケットを介して左右一対の支持体に支持される棚部材の後部浮上防止装置において、
前記支持体毎に独立して装着可能にそれぞれ設けられた一対のストッパ部材からなり、
前記各ストッパ部材は、支持体に取り付けられる取付部と、当該取付部に設けられて前記棚部材の上部に位置する押さえ部とを備え、
前記押さえ部は、支持体前面より後方に位置する棚部材の上部領域を押さえ込み可能に設けられていることを特徴とする棚部材の後部浮上防止装置。
【請求項２】
前記押さえ部は、各支持体の内側に位置することを特徴とする請求項１記載の棚部材の後部浮上防止装置。
【請求項３】
前記押さえ部は、棚部材上部に面接触可能な板状部材により構成されていることを特徴とする請求項１又は２記載の棚部材の後部浮上防止装置。
【請求項４】
前記押さえ部は、棚部材後部の前後二箇所位置に分散して配置されていることを特徴とする請求項１又は２記載の棚部材の後部浮上防止装置。
【請求項５】
前記各支持体は、複数のスリットが前面に形成された柱状にそれぞれ形成され、
前記取付部は、前記スリットに挿入される挿入部と、支持体の表面に所定の粘着手段を介して保持される保持部とを備えていることを特徴とする請求項１ないし４の何れかに記載の棚部材の後部浮上防止装置。
【発明の詳細な説明】
【技術分野】
【０００１】
本発明は、棚部材の後部浮上防止装置に係り、更に詳しくは、棚部材の後部が浮上するような外力が付与されたときに、その浮上を防止することができる後部浮上防止装置に関する。
【背景技術】
【０００２】
従来より、ブラケットを支持する左右一対の支持体と、各ブラケットに載置された棚部材とを有する棚装置が広く利用されている。このような棚装置にあっては、棚部材の前部に不用意な衝撃等が加わると、棚部材が回転移動して当該棚部材の後部が浮き上がる場合がある。そこで、前記浮き上がりを規制すべく、支持体にストッパ部材を装着したタイプのものが知られている（特許文献１参照）。
特許文献１において、ストッパ部材は、支持体の前面に形成されたスリットに引っ掛け可能な取付部と、棚部材を上方から押さえ込み可能に設けられた押さえ部とを備えて構成されている。
【０００３】
【特許文献１】特許第３１０１８９６号公報
【発明の開示】
【発明が解決しようとする課題】
【０００４】
しかしながら、特許文献１のストッパ部材にあっては、押さえ部が支持体の前方に大きく突出して棚部材を押さえる構成となっている。このため、棚部材において、押さえ部が位置する領域分がデッドスペースとなり、支持体前面より前方の収納スペースが狭くなるという不都合を生じる。特に、棚装置を店舗用の陳列什器とした場合、比較的見易い位置となる支持体前方の商品の陳列個数が少なくなるという不都合を招来する。
【０００５】
［発明の目的］
本発明は、このような不都合に着目して案出されたものであり、その目的は、支持体より前方に位置する棚部材の上部領域を収納スペースとして最大限有効利用することができ、棚部材後部の浮き上がりを規制して商品等の落下原因も回避することができる棚部材の後部浮上防止装置を提供することにある。
また、本発明の別の目的は、ストッパ部材の着脱を容易に行うことができ、支持体に対する装着強度を高めることができる棚部材の後部浮上防止装置を提供することにある。
【課題を解決するための手段】
【０００６】
前記目的を達成するため、本発明は、ブラケットを介して左右一対の支持体に支持される棚部材の後部浮上防止装置において、
前記支持体毎に独立して装着可能にそれぞれ設けられた一対のストッパ部材からなり、
前記各ストッパ部材は、支持体に取り付けられる取付部と、当該取付部に設けられて前記棚部材の上部に位置する押さえ部とを備え、
前記押さえ部は、支持体前面より後方に位置する棚部材の上部領域を押さえ込み可能に設けられる、という構成を採っている。
【０００７】
本発明において、前記押さえ部は、各支持体の内側に位置する、という構成が好ましくは採用される。
【０００８】
また、前記押さえ部は、棚部材上部に面接触可能な板状部材により構成することが好ましい。
【０００９】
更に、前記押さえ部は、棚部材後部の前後二箇所位置に分散して配置される、という構成も採ることができる。
【００１０】
更に、前記各支持体は、複数のスリットが前面に形成された柱状にそれぞれ形成され、
前記取付部は、前記スリットに挿入される挿入部と、支持体の表面に所定の粘着手段を介して保持される保持部とを備える、という構成を採ることが好ましい。
【００１１】
また、複数のスリットが前面に形成された左右一対の柱状の支持体に、ブラケットを介して支持される棚部材の後部浮上防止装置において、
前記支持体毎に独立して装着可能にそれぞれ設けられた一対のストッパ部材からなり、
前記各ストッパ部材は、前記スリットに前方から挿入される挿入部と、支持体の内面に沿って位置する保持部と、この保持部に連なって前記棚部材の上部に位置する押さえ部とを備え、
前記挿入部及び保持部は、支持体の内面側を挟み込んで後部浮上防止装置自体を支持体に保持可能とする構成を採用するとよい。
【発明の効果】
【００１２】
本発明によれば、支持体前面より殆ど突出しないように押さえ部を形成して棚部材を押さえ込み可能となり、従来のように、押さえ部によって支持体の前方における棚部材の収納領域が狭くなることを回避することが可能となる。これにより、店舗等で棚部材上に商品を陳列する場合、比較的見易い領域となる支持体の前方領域により多くの商品を配置することができる。
また、棚部材の前部側が回転中心となるように棚部材後部に浮上する力が作用した場合、前記回転中心と押さえ部との距離をできるだけ長く設定でき、前記浮上を効果的に防止することが可能となる。
しかも、ストッパ部材が支持体毎に装着されるので、棚板の左右幅を変更すべく各支持体の離間幅を変更しても、当該変更に難なく対応することができる。
【００１３】
また、各支持体の内側に押さえ部を位置させることにより、棚部材上に商品等を配置したときに、押さえ部を目立ちにくくすることができる。
【００１４】
更に、棚部材上部に面接触可能な板状部材により押さえ部を構成したり、棚部材後部の前後二箇所位置に押さえ部を分散配置した場合には、棚部材後部を押さえ込む力を付与する領域を広くして、棚部材に局所的な大きい荷重が加わることを抑制することができる。
【００１５】
また、支持体のスリットに挿入される挿入部と、支持体の表面に保持される保持部とを備えて取付部が構成される場合、支持体に対するストッパ部材の取付位置を安定して維持することができる。
【発明を実施するための最良の形態】
【００１６】
以下、本発明の実施の形態を図面を参照しながら説明する。
なお、本明細書及び特許請求の範囲における方向若しくは位置を示す用語は、特に明示しない限り、図１中矢印Ａ方向から見た場合を基準とし、「前」とは矢印Ａ方向から見た場合の手前側を示す一方、「後」とは、同奥行き側について用いられる。
【００１７】
［第１実施形態］
図１には、第１実施形態に係る後部浮上防止装置が適用された棚装置の部分概略斜視図が示されている。この図において、棚装置１０は、上下方向に角柱状に延びる支持体としての左右一対の支柱１１，１１と、これら支柱１１，１１にそれぞれ支持された左右一対のブラケット１２，１２と、当該ブラケット１２，１２を跨ぐように載せられた棚部材としての棚板１３と、棚板１３の後部上方位置において各支柱１１，１１に装着された後部浮上防止装置１４と、支柱１１，１１の下部領域に設けられた図示しないベースとを備えて構成されている。
【００１８】
前記支柱１１，１１には、その前面１１Ａ側に、上下方向に向けられた複数のスリット１５が左右二列に亘ってそれぞれ設けられ、これらのスリット１５を利用してブラケット１２，１２を所定の高さ位置に引っ掛けることで、当該ブラケット１２，１２が支柱１１，１１に支持可能とされている。
【００１９】
前記ブラケット１２は、図２に示されるように、前記スリット１５に引っ掛け可能な三つのフック１７を後部に備えた板状に形成されている。ブラケット１２の上縁１２Ａには、三つの凹部１８が形成され、各凹部１８は、図２中左側縁に傾斜切欠縁１８Ａを備えている。また、ブラケット１２の上縁１２Ａは、傾斜縁１９を介して最上部のフック１７に連なるように形成されている。
【００２０】
前記棚板１３は、図２ないし図４に示されるように、商品等を陳列するための載置面部２１と、この載置面部２１の後端縁に沿って設けられた下向き屈曲部２２とを備えて構成されている。載置面部２１の左右後端部には、各支柱１１，１１との干渉を回避するための切欠部２１Ａが形成され、これにより、載置面部２１の後部領域が支柱１１の前面１１Ａより後方に位置することとなる。また、載置面部２１の左右両端側下面には、前後方向に延びる側板形成体２４（図２参照）が設けられ、当該側板形成体２４は、棚板１３の側板を形成する側板形成面２５と、この側板形成面２５の上端に連なって載置面部２１の下面に接合される接合面２６とを備えている。図２に示されるように、接合面２６には、斜め下方向に向けられる切り起こし片２７が形成され、この切り起こし片２７が前記凹部１８内に受容されて棚板１３前部の浮き上がりを防止するようになっている。
【００２１】
前記後部浮上防止装置１４は、図１及び図５に示されるように、一対のストッパ部材３０，３０からなり、各ストッパ部材３０，３０は、各支柱１１，１１にそれぞれ一つずつ設けられる、つまり、支柱１１，１１毎に独立して装着可能に設けられている。ここで、各ストッパ部材３０，３０は、左右対称構造として構成されている。従って、以下の説明では重複を回避すべく左側のストッパ部材３０について説明する。
【００２２】
前記ストッパ部材３０は、特に限定されるものでないが、本実施形態では、一枚の金属板を折り曲げ加工することにより構成されている。ストッパ部材３０は、図３に示されるように、支柱１１に取り付けられる取付部３１と、当該取付部３１の下部に連なって設けられるとともに、棚板１３の後部上方に位置する押さえ部３２とを備えて構成されている。
【００２３】
前記取付部３１は、図４にも示されるように、支柱１１への装着状態において、前記スリット１５に挿入される片状の挿入部３４と、この挿入部３４の前端に連なるとともに、支柱１１の前面１１Ａ及び内面１１Ｂに沿って位置するアングル状の保持部３５とを備えて構成されている。挿入部３４の上下幅は、スリット１５の上下幅と略同一若しくは若干小さく設定され、これにより、スリット１５内で挿入部３４の上下移動が規制されることとなる。保持部３５と支柱１１の内面１１Ｂとの間には、粘着手段としての両面粘着シート３６が設けられ、当該両面粘着シート３６を介して保持部３５が支柱１１に保持されるようになっている。
【００２４】
前記押さえ部３２は、図２に示されるように、載置面部２１の上面との間に若干の隙間を介して配置された板状部材により構成されるとともに、平面視で前後に長い略長方形状（図４参照）に形成されている。押さえ部３２は、支柱１１の内面１１Ｂに沿う保持部３５形成面の下端から当該内面１１Ｂと反対側に屈曲させることにより形成され、支柱１１の内側つまり各支柱１１，１１の内面１１Ｂ，１１Ｂ間に位置するように設けられている。
【００２５】
以上の構成において、各支柱１１，１１に棚板１３をセットする場合、支柱１１にブラケット１２を支持させた後、前記載置面部２１の切欠部２１Ａ内に各支柱１１，１１が位置するように棚板１３をブラケット１２上に載置する。その後、各支柱１１，１１にそれぞれストッパ部材３０，３０を装着する。この装着作業は、支柱１１の載置面部２１から上方に最も近いスリット１５に、ストッパ部材３０の挿入部３４を挿入しつつ両面粘着シート３５を介して支柱１１の内面１１Ｂに保持部３５を保持させることにより行われる。これにより、支柱１１の内面１１Ｂに沿う前記切欠部２１Ａの隣接領域上に押さえ部３２が位置することとなる。
【００２６】
このように棚板１３を載置し、各ストッパ部材３０，３０を装着した状態において、仮に、棚板１３の前端側を押し下げるような衝撃等の力が加わった場合、当該前端を略中心位置として棚板１３の後部が浮上する方向（図２中矢印Ｒ方向）に回転移動しようとする。ところが、ストッパ部材３０の押さえ部３２が棚板１３の上面に面接触し、当該押さえ部３２により支柱１１の前面１１Ａより後方に位置する棚板１３の上面領域が押さえ込まれて前記浮上が防止されることとなる。
【００２７】
なお、前記各ストッパ部材３０，３０を支柱１１，１１に装着した状態のままでも、ブラケット１２に棚板１３を着脱することができる。すなわち、図７に示されるように、棚板１３を後方へ僅かに押して棚板１３前部を持ち上げると、前記凹部１８内から切り起こし片２７が抜け出る。そして、ブラケット１２における傾斜縁１９の上部側が中心位置となって棚板１３の後部が下降する傾斜姿勢となり、この姿勢で、棚板１３を前方に移動させることにより、当該棚板１３をブラケット１２から取り外すことが可能となる。一方、前記取り外し作業と逆の手順を行うことにより、棚板１３の装着も行うことができる。これにより、棚板１３を取り外した後、各支柱１１，１１の離間距離を変えることにより、左右幅の異なる棚板１３に交換することができ、棚装置１０のレイアウト変更を容易に行うことが可能となる。
【００２８】
従って、このような第１実施形態によれば、各ストッパ部材３０，３０の押さえ部３２が各支柱１１，１１の内側に位置するので、支柱１１の前方の棚板１３上にも商品等を陳列することができる。これにより、従来のストッパ部材に比べ、支柱１１の前面１１Ａより前方の商品収納スペースが拡大され、前寄りの見易い位置でより多くの商品を陳列することが可能となる。また、棚板１３の前端と押さえ部３２との距離をできるだけ長くすることができ、前記浮上を効果的に防止することができる。
【００２９】
次に、本発明の第１実施形態以外の実施形態について説明する。なお、以下の説明において、前記第１実施形態と同一若しくは同等の構成部分については必要に応じて同一符号を用いるものとし、説明を省略若しくは簡略にする。
【００３０】
［第２実施形態］
図８ないし図１１には、本発明の第２実施形態に係るストッパ部材３０が示されている。この第２実施形態は、ストッパ部材３０の取付部３１が上下一対の挿入部３４，３４を有する点を特徴とするものである。すなわち、各挿入部３４，３４は、上下に並ぶ二つのスリット１５に同時に挿入可能に設けられている。各挿入部３４，３４の上下幅は、スリット１５の上下幅より小さく設定され、上部の挿入部３４の上端は、スリット１５の上部内周縁に略接触する一方、下部の挿入部３４の下端は、スリット１５の下部内周縁に略接触するように設けられている。また、各挿入部３４，３４の間には、支柱１１の前面に沿って外側（押さえ部３２と反対側）に延びる延長片部３８が設けられている。
【００３１】
従って、このような第２実施形態によっても、第１実施形態と同様の作用、効果が得られる他、二つの挿入部３４，３４により、支柱１１に対してストッパ部材３０をより強固に装着することができる。
【００３２】
［第３実施形態］
図１２ないし図１５には、本発明の第３実施形態に係るストッパ部材３０が示されている。この第３実施形態では、所定の樹脂材料を用いた一体成形品によりストッパ部材３０を構成するとともに、取付部３１から内側（図１３中右側）に突出するように押さえ部４０が形成されている。
【００３３】
同実施形態において、取付部３１を構成する挿入部４１は、平面視く字状に屈曲した形状を備えている一方、スリット１５と略同一上下幅に形成されて当該スリット１５に前方から挿入されている。挿入部４１は、左右方向に弾性変形可能に設けられ、これにより、保持部４２と共に支柱１１の内面１１Ｂ側を挟み込んで後部浮上防止装置１４自体を支柱１１に保持可能となっている。保持部４２は、支柱１１の内面１１Ｂに沿って位置するとともに、挿入部４１より大きい上下幅を備え、上下方向略中央部に左右及び前後に延びる補強リブ４３が形成されている。また、前記押さえ部４０は、保持部４２のコーナー部及び後端部に連なって上下方向に延びる二条のリブ状部材により構成され、その下端面が棚板１３の上面に接触することにより当該棚板１３を押さえ込むようになっている。
【００３４】
従って、このような第３実施形態によれば、挿入部４１をスリット１５に挿入することで、当該挿入部４１と保持部４２とにより支柱１１を左右から挟み込むから、支柱１１に対するストッパ部材３０の着脱を容易に行うことができる。
【００３５】
本発明を実施するための最良の構成などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、数量、その他の詳細な構成において、当業者が様々な変形を加えることができるものである。
従って、上記に開示した構成は、本発明の理解を容易にするために例示的に記載したものであり、本発明を限定するものではないから、それらの形状などの限定の一部若しくは全部の限定を外した部材の名称での記載は、本発明に含まれるものである。
【００３６】
例えば、支持体は支柱１１に限定されるものでなく、ブラケット１２を介して棚部材を支持するものであれば、パネル状のもの等を採用してもよく、棚部材は、載置面部２１を備えたものに限らず、メッシュ状或いはフレーム状のものに代替することができる。
また、押さえ部３２は、支柱１１の前面１１Ａより後方に位置する棚板１１上部領域を押さえ込み可能に設けられている限りにおいて、種々の設計変更が可能である。
更に、粘着手段をマグネットシート等として保持部３５を支柱１１に保持させる構成に代替してもよい。
【産業上の利用可能性】
【００３７】
本発明は、主として、店舗等に用いられる棚装置に利用される。
【図面の簡単な説明】
【００３８】
【図１】第１実施形態に係る後部浮上防止装置が適用された棚装置の部分概略斜視図。
【図２】図１のＢ−Ｂ線に沿う断面図。
【図３】図１の要部拡大概略斜視図。
【図４】図３のＣ−Ｃ線に沿う断面図。
【図５】前記後部浮上防止装置の拡大斜視図。
【図６】図１の要部拡大正面図。
【図７】棚板の取り外し要領を説明するための図２と同様の断面図。
【図８】第２実施形態に係る後部浮上防止装置を示す図２と同様の断面図。
【図９】第２実施形態に係る後部浮上防止装置を示す図３と同様の斜視図。
【図１０】第２実施形態に係る後部浮上防止装置を示す図４と同様の断面図。
【図１１】第２実施形態に係る後部浮上防止装置を示す図６と同様の正面図。
【図１２】第３実施形態に係る後部浮上防止装置を示す図２と同様の断面図。
【図１３】第３実施形態に係る後部浮上防止装置を示す図３と同様の斜視図。
【図１４】第３実施形態に係る後部浮上防止装置を示す図４と同様の断面図。
【図１５】第３実施形態に係る後部浮上防止装置を示す図６と同様の正面図。
【符号の説明】
【００３９】
１０  棚装置
１１  支柱（支持体）
１１Ａ  前面
１２  ブラケット
１３  棚板（棚部材）
１４  後部浮上防止装置
１５  スリット
３０  ストッパ部材
３１  取付部
３２  押さえ部
３４  挿入部
３５  保持部
３６  両面粘着シート（粘着手段）
【図１】
2006095125.tif 000003
【図２】
2006095125.tif 000004
【図３】
2006095125.tif 000005
【図４】
2006095125.tif 000006
【図５】
2006095125.tif 000007
【図６】
2006095125.tif 000008
【図７】
2006095125.tif 000009
【図８】
2006095125.tif 000010
【図９】
2006095125.tif 000011
【図１０】
2006095125.tif 000012
【図１１】
2006095125.tif 000013
【図１２】
2006095125.tif 000014
【図１３】
2006095125.tif 000015
【図１４】
2006095125.tif 000016
【図１５】
2006095125.tif 000017